(57)【要約】【課題】トイレ室の床から所定の寸法だけ離間したキャビネット装置を、キャビネット装置と床との平行を取りつつトイレ室の側壁に取り付ける施工は難しい。【解決手段】トイレ室の床から離間してトイレ室の側壁に取り付けられるトイレキャビネット装置であって、トイレキャビネット装置は、前方及び後方が開口された収納空間を有するキャビネットと、トイレ室の床と平行にトイレ室の側壁の所定高さ位置に固設される固定材と、を有し、キャビネットの開口された後方には、床と平行な底面を有する横桟が設けられ、固定材には、トイレ室の側壁に固定される、床と平行な上面を有する固定板と、固定板の側面に固定されており、固定板の上面に設置された横桟と一部係止してキャビネットの落下を防止する複数の係止具とを有することを特徴とするトイレキャビネット装置。【選択図】図３
2018126339.tif 000002
【特許請求の範囲】
【請求項１】
トイレ室の床から離間して前記トイレ室の側壁に取り付けられるトイレキャビネット装置であって、
前記トイレキャビネット装置は、前方が開口された収納空間を有するキャビネットと、前記トイレ室の床と平行に前記トイレ室の前記側壁の所定高さ位置に固設される固定材と、を有し、
前記キャビネットは、前記床と平行な底面を有する横桟を備え、
前記固定材は、前記トイレ室の前記側壁に固定される、前記床と平行な上面を有する固定板と、前記固定板に固定されており、前記固定板の上面に設置された前記横桟と一部係止して前記キャビネットの落下を防止する複数の係止具と、を備えることを特徴とするトイレキャビネット装置。
【請求項２】
前記キャビネット及び前記固定板はトイレ室の床と平行に複数設けられることを特徴とする請求項１に記載のトイレキャビネット装置。
【請求項３】
複数の前記固定板は、左右幅方向に同じ長さを有する、第一の固定板と、第二の固定板とを有し、
複数の前記キャビネットは、前記トイレ室の奥側に位置する第一のキャビネットと、前記トイレ室の中央側に位置する第二のキャビネットと、前記トイレ室の手前側に位置する第三のキャビネットとを有し、
前記第一の固定板及び前記第二の固定板を連接した左右幅方向の長さは、前記第一のキャビネットと、前記第二のキャビネットと、前記第三のキャビネットと、を連接した左右幅方向の長さと比べて短く、
前記第一の固定板と前記第二の固定板との連接部が、連接した複数の前記キャビネットの左右幅方向中央から前記第一のキャビネットが位置する前記トイレ室の奥側に偏心させて設けることで、前記第一の固定板は前記第一のキャビネットを支え、前記第二の固定板は前記第二のキャビネット及び前記第三のキャビネットを支えることを特徴とする請求項２に記載のトイレキャビネット装置。
【請求項４】
前記第一の固定板が有する前記係止具の個数が、前記第二の固定板が有する前記係止具の個数よりも多いことを特徴とする請求項３に記載のトイレキャビネット装置。
【発明の詳細な説明】
【技術分野】
【０００１】
本発明は、トイレ室において便器の側方に取り付けられるトイレキャビネット装置に関する。
【背景技術】
【０００２】
比較的狭いトイレ空間を有効活用するため、従来から大便器の側方の壁面に沿って取り付けられるキャビネットが知られている。（特許文献１）
【０００３】
また、車椅子使用者に配慮し、車椅子のフットレスト部分が入るように、キャビネットを床から所定の寸法だけ離間しているものがある。（特許文献２）
【先行技術文献】
【特許文献】
【０００４】
【特許文献１】特開２００８−２４５８７９号公報
【特許文献２】特開２０１６−４７２６３号公報
【発明の概要】
【発明が解決しようとする課題】
【０００５】
しかしながら、特許文献２のようなトイレ室の床から所定の寸法だけ離間したキャビネットをトイレ室の側壁に取り付ける施工は、特許文献１のようにトイレ室の床にキャビネットを取り付ける施工と異なり、キャビネットを床と平行を取りつつ施工を行うのが難しいという課題があった。
【０００６】
本発明は、かかる課題の認識に基づいてなされたものであり、トイレ室の床から離間するようにトイレ室の側壁に取り付けられるトイレキャビネットの施工性を向上させることを目的とする。
【課題を解決するための手段】
【０００７】
上記目的を達成するために、本発明に係るトイレキャビネット装置においては、トイレ室の床から離間してトイレ室の側壁に取り付けられるトイレキャビネット装置であって、トイレキャビネット装置は、前方が開口された収納空間を有するキャビネットと、トイレ室の床と平行にトイレ室の側壁の所定高さ位置に固設される固定材と、を有し、キャビネットは、床と平行な底面を有する横桟を備え、固定材は、トイレ室の側壁に固定される、床と平行な上面を有する固定板と、固定板に固定されており、固定板の上面に設置された横桟と一部係止してキャビネットの落下を防止する複数の係止具と、を備えることを特徴とするトイレキャビネット装置である。
【０００８】
本発明によれば、トイレ室の床から離間してトイレ室の側壁に取り付けられるトイレキャビネット装置において、トイレ室の側壁にキャビネットよりも先に固定板をトイレ室の床と平行を取るように取り付け、トイレ室の床と平行な面を有する固定板の上面と、キャビネットの後方に設けられたトイレ室の床と平行な面を有する横桟の底面とを合わせることで、簡単にトイレ室の床と平行を取りつつトイレキャビネット装置をトイレ室の側壁に仮置きできる。
【０００９】
また、固定板にキャビネットを仮置きした際に、固定板からキャビネットが落下してしまうことを防止する為に、固定板に固定板の上面に設置されるキャビネットの横桟と一部係止するような係止具が複数設けられている。これによって、従来よりも簡単で安全にトイレ室の床から所定の寸法だけ離間したトイレキャビネット装置の施工が可能となるため、施工性を向上させることが出来る
【００１０】
また、本発明に係るトイレキャビネット装置において、好ましくは、キャビネット及び固定板はトイレ室の床と平行に複数設けられることを特徴とする。
【００１１】
この構成によれば、側壁に取り付ける際に複数のキャビネット及び固定板を連接させれば良いため、比較的狭いトイレ室においてもキャビネット及び固定板の取り回しが容易である。さらに、トイレ室の奥行きに合うような一つの大きいキャビネットだと施工する際に持ち上げる重量が大きいため施工性が悪かったが、複数からなる構成にしたことによって、一人でも持ち運べる程度の重量になるので施工性を向上させることが出来る。
【００１２】
また、本発明に係るトイレキャビネット装置において、好ましくは、複数の固定板は、左右幅方向に同じ長さを有する、第一の固定板と、第二の固定板とを有し、複数のキャビネットは、トイレ室の奥側に位置する第一のキャビネットと、トイレ室の中央側に位置する第二のキャビネットと、トイレ室の手前側に位置する第三のキャビネットとを有し、第一の固定板及び第二の固定板を連接した左右幅方向の長さは、第一のキャビネットと、第二のキャビネットと、第三のキャビネットと、を連接した左右幅方向の長さと比べて短く、第一の固定板と第二の固定板との連接部が、連接した複数のキャビネットの左右幅方向中央から第一のキャビネットが位置するトイレ室の奥側に偏心させて設けることで、第一の固定板は第一のキャビネットを支え、第二の固定板は第二のキャビネット及び第三のキャビネットを支えることを特徴とする。
【００１３】
複数のキャビネットを複数の固定板で支える構成とした際、複数の各キャビネットの左右幅方向の長さに合わせた複数の固定板を用いることが理想であるが、複数の各キャビネットの左右幅方向の長さが異なる為、それに合わせようとすると固定板の製造性が悪くなってしまうという課題がある。そこで、本発明のように、左右幅方向に同じ長さを有する二つの固定板で三つのキャビネットを支える構成、言い換えると、第一の固定板が第一のキャビネットを支え、第二の固定板が第二のキャビネット及び第三のキャビネットを支える構成にしたことによって固定板の製造性を向上させることが可能となった。
【００１４】
また、複数のキャビネットのうち、トイレ室の奥側に位置する第一のキャビネットの前方には便器が配設されるため、前方に広いスペースを必要とする扉を取り付けることができない。そのため、第一のキャビネットは扉が付けられた状態で施工されるので、第二のキャビネット及び第三のキャビネットよりも重い。このような状況を鑑みて、第一の固定板と第二の固定板との連接部を三つのキャビネットを連接したときの左右幅方向の中央にするのではなく、重量の大きい第一のキャビネットが位置するトイレ室の奥側に偏心させる新規な構成にした。これによって、第一の固定板がトイレ室の側壁から外れないように多くの締結手段を設ける必要が無くなるので施工性を向上させることが出来る。
【００１５】
また、本発明に係るトイレキャビネット装置において、好ましくは、第一の固定板が有する係止具の個数が、第二の固定板が有する係止具の個数よりも多いことを特徴とする。
【００１６】
この構成に依れば、重量の小さい第二のキャビネット及び第三のキャビネットの二つのキャビネットを支える第二の固定板よりも、重量の大きい第一のキャビネットのみを支える第一の固定板に設ける係止具の個数を多くすることで、重量の大きい第一のキャビネットが落下してしまうことをより確実に防ぐことが出来るため、施工性を向上させることが出来る。
【発明の効果】
【００１７】
本発明の態様に依れば、トイレ室の床から離間するようにトイレ室の側壁に取り付けられるトイレキャビネット装置において、固定板を用いることで従来よりも簡単で安全にトイレ室の床との平行を取りつつキャビネットを側壁に取り付けることが可能となり、施工性を向上させることが出来る。
【図面の簡単な説明】
【００１８】
【図１】トイレ室の側壁に取り付けられるトイレキャビネット装置を示す上面図である。
【図２】本実施形態に係る固定材の斜視図である。
【図３】本実施形態に係るトイレキャビネット装置を施工したときの正面図である。
【図４】本実施形態に係るトイレキャビネット装置を施工したときの背面図である。
【図５】図３のＡ線で囲った位置を矢印の方向からみた断面図である。
【発明を実施するための形態】
【００１９】
以下、図面を参照しつつ本発明の一実施形態について説明する。
【００２０】
図１は、本実施形態に係るトイレ室の側壁に取り付けられるトイレキャビネット装置を示す正面図である。図１において、便器１が置いてある方向がトイレ室３の奥側である。
【００２１】
本実施形態に係るトイレキャビネット装置１０は、トイレ室３の側壁４に固定される固定材２０と、その固定材２０に支えられながらトイレ室３の側壁４に固定されるキャビネット１１とを有する。
【００２２】
本実施形態に係るキャビネット１１は、トイレ室３の奥側に取り付けられるサイドキャビネット１３と、トイレ室３の中央側に取り付けられる紙巻器キャビネット１５と、トイレ室３の手前側に取り付けられる手洗器キャビネット１７の三つから構成されている。キャビネット１１は前方が開口されており、内部に空間を有し、この内部空間が備品を収納可能な収納空間として構成されている。
【００２３】
キャビネット１１はトイレ室３の床５から離間してトイレ室３の側壁４に取り付けられており、キャビネット１１と、床５との間には空間が形成されている。なお、本実施形態ではキャビネット１１はトイレ室３の右側壁に取り付けられているが、左側壁に取り付けられても構わない。
【００２４】
図２は、本実施形態に係る固定材の斜視図である。
【００２５】
固定材２０は、トイレ室３の側壁４にビス等の締結手段２１ａによって固定される固定板２２と、固定板２２の側面にビス等の締結手段２１ｂによって固定される複数の落下防止板金２４とを有する。落下防止板金２４は、固定板２２の上面２３よりも上方に延びる面を有している。本実施形態に係る固定板２２は、狭いトイレ室３での取り回しを考慮して二つから構成されている。二つの固定板をつなげた長さはサイドキャビネット１３と、紙巻器キャビネット１５と、手洗器キャビネット１７と、を連結させた左右幅方向の長さよりも短い。
【００２６】
図３は、本実施形態に係るトイレキャビネット装置を施工したときの正面図である。図４は、本実施形態に係るトイレキャビネット装置を施工したときの背面図である。
【００２７】
キャビネット１１は開口された後方に、キャビネット１１の横幅と同じ長さを有する横桟を上下二箇所に設けられている。キャビネット１１に設けられた横桟２７及び２８は、トイレ室３の床５からサイドキャビネット１３と、紙巻器キャビネット１５と、手洗器キャビネット１７と、それぞれに対して同じ高さで上方と下方に二ヵ所設けられている。
【００２８】
次に、トイレキャビネット装置１０をトイレ室３の側壁４に固定するまでの施工手順を説明する。まずトイレ室３の側壁４の所定高さにトイレ室３の床５と平行な線を罫書く。その罫書かれた平行線に沿って、第一の固定板２２をビス等の締結手段２１によってトイレ室３の側壁４に固定する。
【００２９】
次にキャビネット１１の後方に設けられた横桟２７及び２８のうち、下方に設けられた横桟２７を固定板２２の上面２３に設置する。横桟２７の底面は、トイレ室３の床５と平行な面を有しているため、固定板２２の上面２３に設置することで、キャビネット１１と床５との平行を容易に取ることができる。さらに、横桟２７が設けられている高さはサイドキャビネット１３と、紙巻器キャビネット１５と、手洗器キャビネット１７と、それぞれに対して同じであるため、トイレ室３の側壁４に取りつけられる床５からの高さも均一にすることができる。
【００３０】
キャビネット１１の横桟２７を固定板２２に設置したとき、キャビネット１１は固定板２２に仮置きされた状態になっており、トイレ室３の側壁４に固定されてはいない。そのため、キャビネット１１が固定板２２から落下する危険性があるので、落下防止板金２４によってキャビネット１１の横桟２７と固定板２２とが一部係止されている。
【００３１】
キャビネット１１を固定板２２に仮置きした後、キャビネット１１の後方に設けられた横桟２７及び２８をトイレ室３の側壁４にビス等の締結手段２１ａによって固定する。以上の手順によって、トイレキャビネット装置１０はトイレ室３の側壁４に固定される。
【００３２】
本実施形態において、サイドキャビネット１３は、サイドキャビネット１３が取り付けられる前方に便器１があるため、開口された前方に扉を取り付けたまま施工される。そのため、紙巻器キャビネット１５及び手洗器キャビネット１７と比較して重量が大きい状態で施工される。
【００３３】
そのため、キャビネット１１を仮置きするための二つの固定板２２の連接部２５を、サイドキャビネット１３、紙巻器キャビネット１５及び手洗器キャビネット１７を連接させた左右幅方向の中央線であるＣ−Ｃ線よりも、サイドキャビネット１３を取り付けるトイレ室３の奥側に偏心させている。これによって、二つの固定板２２が支えるキャビネット１１の重量に大きなバラつきが出ることを抑えられ、重量の大きいキャビネット１１を支える第一の固定板２２ａが、トイレ室３の側壁４から外れる危険を防止することができ、サイドキャビネット１３を支える第一の固定板２２ａに対してトイレ室３の側壁４に固定する為のビス等の締結手段２１ａを必要以上に設けなくて良くなるので施工性が向上させることができる。
【００３４】
さらに、サイドキャビネット１３を支える第一の固定板２２ａに設けられる落下防止板金２４の個数を、紙巻器キャビネット１５及び手洗器キャビネット１７を支える第二の固定板２２ｂの個数よりも多く設けている。これによって、重量の大きいサイドキャビネット１３が第一の固定板２２ａから落下する危険を防止することができ、施工の安全性を向上させることができる。
【００３５】
図５は図３のＡで囲まれた位置を矢印の方向から見た断面図である。
【００３６】
本実施形態の固定板２２と横桟２７とは、製造性を向上させるため同じ板材から製造されるので、同じ厚みを有している。そのため、横桟２７を固定板２２の上面２３に載置させる際、トイレ室３の側壁４に歪みがあると、側壁４と固定板２２に設けられた落下防止板金２４との間のスペースが横桟２７の厚みよりも小さくなってしまい、横桟２７を固定板２２の上面２３に載置できない恐れがある。
【００３７】
本実施形態に係る固定材２０において、落下防止板金２４と固定板２２との間にスペーサ２９を設けている。これによって、キャビネット１１の横桟２７を設置するための、トイレ室３の側壁４、固定板２２及び落下防止板金２４に囲まれたスペースを広く取ることが出来るので施工性を向上させることができる。
【符号の説明】
【００３８】
１・・・便器
３・・・トイレ室
４・・・側壁
５・・・床
１０・・・トイレキャビネット装置
１１・・・キャビネット
１３・・・サイドキャビネット
１５・・・紙巻器キャビネット
１７・・・手洗器キャビネット
２０・・・固定材
２１ａ・・・締結手段
２１ｂ・・・締結手段
２２・・・固定板
２２ａ・・・第一の固定板
２２ｂ・・・第二の固定板
２３・・・上面
２４・・・落下防止板金
２５・・・連接部
２７・・・横桟
２８・・・横桟
２９・・・スペーサ
【図１】
2018126339.tif 000003
【図２】
2018126339.tif 000004
【図３】
2018126339.tif 000005
【図４】
2018126339.tif 000006
【図５】
2018126339.tif 000007